(57)【要約】      （修正有）【課題】ユーザが座るためのクッションを開示する。【解決手段】クッション１は、基層１２、シート層１４及び支持部１６を含む。シート層は、ユーザが座るのに、基層上に形成される。支持部は、ユーザの坐骨結節を支持するために、基層とシート層との間に形成される。シート層は、良好な被覆形状の材料で作製され、その結果、ユーザの上半身、臀部及び脚にかかる応力を開放できる。更に、ユーザの坐骨結節を支持するのに硬い支持部を使用することによって、クッションは、ユーザの上半身の重さを、シート層に均等に伝達する。そのため、クッションは、ユーザの臀部及び脚の、長時間の部分的な応力による、痛み、疼痛、苦痛等、幾つかの肉体的苦痛を防止できる。【選択図】図２
2018011956.tif 000002
【特許請求の範囲】
【請求項１】
ユーザを支持する支持部；及び  
前記ユーザを支持する前記支持部上に形成される、シート層
を含むクッションであって、    
前記シート層の硬度は、前記支持部の硬度より低く、前記支持部の幅は、前記ユーザの２坐骨結節間の距離より広く、前記シート層の幅は、前記ユーザの臀部の幅より広い、クッション。
【請求項２】
ユーザが座るための、クッションであり、該クッションは：
基層；
前記基層上に形成され、支持部及び圧力開放補助部を含む支持層であって、前記支持部は、ユーザの坐骨結節を支持するのに使用され、前記圧力開放補助部は、中心穴を有し、前記支持部は、前記中心穴内に設けられる支持層；及び
前記ユーザが座るのに、前記支持層上に形成される、シート層
を含むクッションであって、
前記シート層の硬度は、前記支持部の硬度より低く、前記支持部の幅は、前記ユーザの２坐骨結節間の距離より広く、前記シート層の幅は、前記ユーザの臀部の幅より広い、クッション。
【請求項３】
前記支持部は、中央圧力開放部及び支持リングを含み；前記中央圧力開放部は、前記支持リング内に設けられ；前記ユーザの坐骨結節は、前記支持リングによって支持され；前記中央圧力開放部の硬度は、前記支持リングの硬度より低い、請求項２に記載のクッション。
【請求項４】
前記中央圧力開放部の幅は、前記ユーザの２坐骨結節間の距離より狭い、請求項３に記載のクッション。
【請求項５】
前記中央圧力開放部と前記シート層の材料は、同じであり、前記クッションは、円筒状の外形を示し、前記円筒状の外形の直径は、３８ｃｍである、請求項３に記載のクッション。
【請求項６】
前記支持部と前記シート層を支持する基層を更に含み、前記クッションは、前記ユーザが座るのに使用される、又は前記ユーザの腰、背若しくは首が寄り掛かるのに使用される、請求項１に記載のクッション。
【請求項７】
前記支持部の硬度は、前記基層の硬度より低い、請求項６に記載のクッション。
【請求項８】
前記基層は、一般発泡体で作製され、前記支持部は、一般発泡体で作製され、前記シート層は、形状記憶発泡体で作製される、請求項７に記載のクッション。
【請求項９】
換気及び蒸散するために前記シート層上に形成される通気層を更に含み、前記通気層は、パームワイヤ、麻糸又は人工の通気性のある蒸散繊維フィラメントで作製され、前記通気層の厚さは、１ｃｍである、請求項２に記載のクッション。
【発明の詳細な説明】
【技術分野】
【０００１】
本発明は、クッション、特に、ユーザの脊柱を真直ぐにし、坐骨結節を支持し、ユーザの上半身、臀部及び脚にかかる応力を開放するためのクッションに関する。
【背景技術】
【０００２】
現代生活が進歩したために、多くの現代人は、かなり長時間座ったままで仕事をしなければならない。休憩、瞑想、又はデスクトップパソコンで仕事するといった多くの状況で、人々は、支持や快適さを高めるためにクッションを利用するのに慣れている。支持及び圧力開放に関するクッションの効果により、ユーザの上半身、臀部、及び脚にかかる応力は開放されることができ、その結果、人体のエネルギ消費を抑えることができる。
【０００３】
更に、人間の腰椎への負荷は、主に上半身の重さ、上肢の運動、及びそれらにかかる他の外力又は重さから来ることが知られている。身体は、背筋が伸びた姿勢で座っていない限り、上半身の重さは、不均等に分散され、その結果、背筋が丸まり、それにより圧力がクッションに効果的に移ることができなくなる。上半身からの部分的な圧力は、腰椎への損傷を招き、痛み、疼痛、苦痛等の肉体的苦痛の原因になる。刺激や苦痛は、精神的な怠慢、不注意を齎す、即ち効率化の現代では、時間の浪費ということになる。
【０００４】
従来のクッションは、ユーザの上半身の重さを分散するのに良好な被覆形状のクッションにすることで、効果があるとされていた。しかしながら、ユーザは、長時間効果的に脊柱を真直ぐにはできず、その結果脊柱の歪みを招いた。脊柱は歪んだ状態になり、仙椎や尾骨にかかる力により、血行不良や神経伝導の低下が発生し、その結果、刺激や苦痛が生じる。
【０００５】
従来技術では、クッションは、ユーザの体幹を真直ぐにするために、シートと対になっており、シートの形状及び大きさは、クッションと合致しなければならない。ユーザの脊柱を真直ぐにし、仙椎や尾骨が圧迫されるのを防ぐという従来技術のクッションの効果にも関わらず、クッションは単独で使用できず、その結果、使いにくいだけではなく、瞑想者用に使用できない。
【０００６】
従って、上記技術には、依然として多くの短所があり、良好な設計ではない。そのため、改良される必要がある。結論として、本発明は、日常利用する又は瞑想用のクッションを提供する。本クッションは、ユーザの仙椎及び尾骨が圧迫されるのを防ぐために、ユーザが、快適に、脊柱を自然な真直ぐな姿勢をとれるようにする。
【発明の概要】
【０００７】
そのために、長年関連商品の製造と開発に携わり、設計経験もある本発明者は、本発明について詳細な設計を行い、慎重に評価した結果、実際に使用可能であることを最終的に確認した。
【０００８】
本発明の主な目的は、クッションを提供することである。本発明の一実施形態によると、クッションは、支持部及びシート層を含む。支持部は、ユーザを支持するのに使用される。シート層は、ユーザを支持する支持部上に形成され、シート層の硬度は、支持部の硬度より低い。更に、本発明のクッションは、支持部とシート層を支持する基層を含み、クッションは、ユーザの腰、背又は首が寄り掛かる際に使用される。
【０００９】
本発明の別の目的は、ユーザが座る際に使用するクッションを提供することである。本発明の別の実施形態によると、クッションは、基層、シート層、及び支持部を含む。シート層は、ユーザが座るのに、基層上に形成される。支持部は、ユーザの坐骨結節を支持するだけでなく、仙椎及び尾骨が圧迫されるのを防ぐために、基層とシート層との間に形成される。シート層の硬度は、支持部の硬度より低い。
【００１０】
支持部の幅は、ユーザの２坐骨結節間の距離より広く、シート層の幅は、ユーザの臀部の幅より広い。
【００１１】
支持部は、中央圧力開放部及び支持リングを含み、中央圧力開放部は、支持リング内に設けられ、ユーザの坐骨結節は、支持リングによって支持され、中央圧力開放部の硬度は、支持リングの硬度より低い。中央圧力開放部の幅は、ユーザの２坐骨結節間の距離より狭い。
【００１２】
本発明の別の実施形態によると、クッションは、基層、支持層、及びシート層を含む。支持層は、基層上に形成され、支持部及び圧力開放補助部を含む。支持部は、ユーザの坐骨結節を支持するのに使用され、圧力開放補助部は、中心穴を有し、支持部は、中心穴内に設けられる。シート層は、ユーザが座るのに、支持層上に形成される。シート層の硬度は、支持部の硬度より低い。
【００１３】
支持部の幅は、ユーザの２坐骨結節間の距離より広く、シート層の幅は、ユーザの臀部の幅より広い。
【００１４】
支持部は、中央圧力開放部及び支持リングを含み、中央圧力開放部は、支持リング内に設けられ、ユーザの坐骨結節は、支持リングによって支持され、中央圧力開放部の硬度は、支持リングの硬度より低い。中央圧力開放部の幅は、ユーザの２坐骨結節間の距離より狭い。
【００１５】
結論として、本発明のクッションのシート層は、柔らかく、均等なクッション性で、ユーザが座るのに良好な被覆形状物を提供する。それに加えて、ユーザの上半身の重さの殆どは、ユーザの坐骨結節を通して伝達されることができ、圧力は、硬い支持部によって均等に開放されることができる。そのために、クッションは、ユーザの臀部及び脚が、特に長時間に亘り瞑想又は座る者に対する、部分的な応力による、痛み、疼痛、苦痛等、幾つかの肉体的苦痛を防止できる。
【００１６】
本発明の効果及び精神は、添付図と共に、以下の記述によって、理解されるであろう。
【００１７】
実施形態の幾つかは、以下の図面を参照して、詳述されるが、図面では、同じ参照番号は、同じ部材を指すものとする。
【図面の簡単な説明】
【００１８】
【図１】従来技術における、人間の骨盤の図を示している。
【図２】本発明の一実施形態におけるクッションの図を示している。
【図３】本発明の一実施形態におけるクッションの分解図を示している。
【図４】本発明の一実施形態における支持部の分解図を示している。
【図５】本発明の別の実施形態におけるクッションの図を示している。
【図６】本発明の別の実施形態におけるクッションの分解図を示している。
【図７】本発明の別の実施形態における支持部の分解図を示している。
【発明を実施するための形態】
【００１９】
以下では、開示された装置及び方法の実施形態に関する詳細な記載が、例示目的で、限定目的ではなく、図面を参照して行われる。特定の実施形態について詳細に示され、記載されるが、当然ながら、付記されたクレームの範囲から逸脱せずに、様々な変更及び変形が行われてもよい。本発明の範囲は、当該構成部品数、部品の材料、部品の形状、部品の相対配置等に決して限定されるものではなく、これらは、単に本発明の実施形態の例として開示されている。
【００２０】
本発明の一実施形態では、クッションは、支持部及びシート層を含む。支持部は、ユーザを支持するのに使用される。シート層は、ユーザを支持する支持部上に形成され、シート層の硬度は、支持部の硬度より低い。更に、本発明のクッションは、支持部とシート層を支持する基層を含み、クッションは、ユーザの腰、背又は首が寄り掛かるのに使用される。
【００２１】
図１、図２、及び図３を参照されたい。図１は、従来技術における人間の骨盤の図を示している。図２は、本発明の一実施形態におけるクッション１の図を示している。図３は、本発明の一実施形態におけるクッション１の分解図を示している。本発明の幾つかの実施形態では、クッション１は、基層１２、シート層１４、及び支持部１６を含む。シート層１４は、ユーザが座るのに、基層１２上に形成される。支持部１６は、ユーザの坐骨結節を支持すると共に、仙椎及び尾骨が圧迫されるのを防ぐために、基層１２とシート層１４との間に、形成され、シート層１４の硬度は、支持部１６の硬度より低い。
【００２２】
支持部の幅Ｗ１６は、ユーザの２坐骨結節間の距離Ｗｉより広く、シート層の幅Ｗ１４は、ユーザの臀部の幅Ｗａより広い。支持部１６の硬度は、基層１２の硬度より低い。
【００２３】
また、本発明のクッション１は、円筒状の外形を示しており、円筒状の外形の直径Ｗ１４は、３８ｃｍである。
【００２４】
当然ながら、本発明のクッション１の外形は、円筒形に決して限定されず、更に、楕円形、正方形、又は他の人間工学的若しくは特別なニーズの設計としてもよい。
【００２５】
更に、本発明のクッションは、ユーザが座るのに、又はユーザの腰、背若しくは首が寄り掛かるのに使用される。
【００２６】
幾つかの実施形態では、円筒状のシート層１４は、予め所望される支持部１６の空間がくり抜かれ、次に、支持部１６の材料を上記空間に詰めることで充填される；その一方で、シート１４と支持部１６は、一緒に固定される。
【００２７】
他の実施形態では、支持部１６は、予め製造されることができる。次に、円筒状のシート層１４に、所望の空間がくり抜かれる。最後に、支持部１６は、シート層１４と基層１２との間に、接着する方法で、固定される。また、基層１２は、一般発泡体又は複合発泡体（ａｇｇｒｅｇａｔｅ  ｆｏａｍ）で作製され、支持部１６は、一般発泡体で作製され、シート層１４は、形状記憶発泡体で作製される。
【００２８】
図４を参照されたい。図４は、本発明の一実施形態における支持部１６の分解図を示している。幾つかの実施形態では、支持部１６は、中央圧力開放部１６１及び支持リング１６２を含む。中央圧力開放部１６１は、支持リング１６２内に設けられ、ユーザの坐骨結節は、支持リング１６２によって支持され、中央圧力開放部１６１の硬度は、支持リング１６２の硬度より低い。中央圧力開放部１６１の幅Ｗ１６１は、ユーザの２坐骨結節間の距離Ｗｉより狭い。
【００２９】
従来技術では、女性の２坐骨結節間の距離は、約１３．４９ｃｍであり、男性は、約１１．６５ｃｍである。２坐骨結節の内端は、約８．５〜９．５ｃｍである。従って、支持部の幅Ｗ１６は、１７．５ｃｍに設定され、中央圧力開放部１６１の幅Ｗ１６１は、５．６ｃｍに設定される。
【００３０】
また、シート層１４及び中央圧力開放部１６１の材料は、同じである。
【００３１】
幾つかの実施形態では、クッション１は、食事コーナー（ｄｉｎｅｔｔｅ）又はオフィス椅子領域に置かれ、支持部１６は、ユーザの坐骨結節を支持するのに使用され、シート層１４は、ユーザの体重を均等に分散するのに使用される。クッション１は、ユーザが脊柱を自然に真直ぐな姿勢をとれるようにでき、ユーザは、腰椎、胸椎及び頸椎を自然に真直ぐに維持するように、若干注意する必要があるだけである。
【００３２】
図１、図５、及び図６を参照されたい。図５は、本発明の別の実施形態におけるクッション２の図を示している。図６は、本発明の別の実施形態におけるクッション２の分解図を示している。幾つかの実施形態では、クッション２は、基層１２、支持層２２、及びシート層２４を含む。支持層２２は、基層１２上に形成され、支持層２２は、支持部２２１及び圧力開放補助部２２２を含む。支持部２２１は、ユーザの坐骨結節を支持するのに、且つ仙椎及び尾骨が圧迫されるのを防ぐために使用される。圧力開放補助部２２２は、中心穴を有し、支持部２２１は、中心穴内に設けられ、圧力開放補助部２２２の硬度は、支持部の硬度より低い。シート層２４は、ユーザが座るのに、支持層２２上に形成され、シート層２４の硬度は、支持部の硬度より低い。
【００３３】
支持部の幅Ｗ２２１は、ユーザの２坐骨結節間の距離Ｗｉより広く、シート層の幅Ｗ２４は、ユーザの臀部の幅Ｗａより広い。支持部２２１の硬度は、基層１２の硬度より低い。
【００３４】
幾つかの実施形態では、支持部２２１は、予め作製されることができる。次に、圧力開放補助部２２２は、支持部２２１の周囲に固着される。最後に、支持層２２は、シート層２４と基層１２との間に接着する方法で固定される。
【００３５】
また、本発明のクッション２は、換気及び蒸散のためにシート層２４上に形成される通気層を含み、通気層の材料は、パーム（ｐａｌｍ）ワイヤ、麻糸又は人工の通気性のある蒸散繊維フィラメントとしてもよく、通気層の厚さは、１ｃｍである。
【００３６】
図７を参照されたい。図７は、本発明のクッション２の別の実施形態における支持部の分解図を示している。幾つかの実施形態では、支持部２２１は、中央圧力開放部２２１１及び支持リング２２１２を含む。中央圧力開放部２２１１は、支持リング２２１２内に設けられる。ユーザの坐骨結節は、支持リング２２１２によって支持される。中央圧力開放部２２１１の硬度は、支持リング２２１２の硬度より低い。中央圧力開放部２２１１の幅Ｗ２２１１は、ユーザの２坐骨結節間の距離Ｗｉより狭い。
【００３７】
また、中央圧力開放部２２１１、圧力開放補助部２２２及びシート層２４の材料は、同じである。
【００３８】
幾つかの実施形態では、中央圧力開放部２２１１は、中空領域である。
【００３９】
他の実施形態では、中央圧力開放部２２１１は、クッション２を換気及び蒸散するために、通気性の円柱で作製される。通気性の円柱の材料は、パームワイヤ、麻糸又は人工の通気性のある蒸散繊維フィラメントとされてもよく、材料は、ユーザにとって最大の快適さを提供するために出来るだけ薄くする。
【００４０】
幾つかの実施形態では、基層１２は、一般発泡体又は複合発泡体で作製され、支持部２２１は、一般発泡体で作製され、シート層２４は、形状記憶発泡体で作製される。
【００４１】
幾つかの実施形態では、クッション２は、座蒲座布団で、通常、慣例で瞑想用に使用される。シート層２４は、瞑想者が座れるようになっている。それに加えて、基層１２の高さＨ１２は、２〜４ｃｍであり、支持層２２の高さＨ２２は、５〜６ｃｍであり、シート層２４の高さＨ２４は、６〜７ｃｍである。また、クッション２は、円筒状の外形を示しており、円筒状の外形の直径Ｗ２４は、３８ｃｍである。支持部２２１の幅Ｗ２２１は、１７．５ｃｍである。
【００４２】
当然ながら、本発明のクッション２の外形は、円筒形に決して限定されず、更に楕円形、正方形、又は他の人間工学的若しくは特別なニーズの設計としてもよい。
【００４３】
上記の性質により、クッション２は、瞑想者が座れるようになっている。硬い支持部２２１は、瞑想者の坐骨結節を支持するのに使用される。また、支持部２２１は、形状記憶発泡体が圧力開放する特性を有する、シート層２４及び圧力開放補助部２２２によって被覆され、瞑想者の上半身の重さは、ユーザの仙椎及び尾骨が圧迫されるのを防ぐために、均等に分散されることができる。クッション２は、瞑想者が自然に脊柱を真直ぐにして胡坐姿勢をとれるようにでき、瞑想者は、腰椎、胸椎及び頸椎を自然に真直ぐに維持するように、若干注意する必要があるだけである。その結果、クッションは、瞑想者の臀部及び脚の、長時間の部分的な応力による、痛み、疼痛、苦痛等、幾つかの肉体的苦痛を防止でき、その結果、瞑想者が、快適で自然な胡坐姿勢を維持できるようにする。
【００４４】
結論として、本発明のクッションのシート層は、柔らかく、均等なクッション性を提供すると共に、ユーザが座るのに良好な被覆形状物を提供する。それに加えて、ユーザの上半身の重さの殆どは、ユーザの坐骨結節を通して伝達されることができ、圧力は、硬い支持部によって均等に開放されることができる。そのために、クッションは、ユーザの臀部及び脚が、特に長時間に亘り瞑想する又は座る者に対する、部分的な応力による、痛み、疼痛、苦痛等、幾つかの肉体的苦痛を防止できる。
【００４５】
上述した実施例及び説明で、本発明の特徴及び精神について、上手く記載されたものと期待したい。更に重要なことには、本発明は、本明細書に記載された実施形態に限定されない。当業者は、本装置に関する多くの変形及び変更が、本発明の教示を保持しつつ行われてもよいことに、容易に気付くであろう。よって、上記開示は、付記されたクレームの境界及び範囲によってのみ限定されるものと解釈されるべきである。
【図１】
2018011956.tif 000003
【図２】
2018011956.tif 000004
【図３】
2018011956.tif 000005
【図４】
2018011956.tif 000006
【図５】
2018011956.tif 000007
【図６】
2018011956.tif 000008
【図７】
2018011956.tif 000009
【外国語明細書】
2018011956000001.pdf